(57)【要約】【課題】光源の配置数が少なくても輝度ムラのない均一な光を高い輝度で出射できる面光源装置を提供する。【解決手段】この発明の面光源装置１は、３つ以上の光源２…が互いに間隔をあけて配置され、これら光源２…の前面側に該光源から放たれた光の向きを変える偏向構造板３が配置されてなる面光源装置であって、偏向構造板３は、該偏向構造板３における隣り合う２つの光源２、２の間の領域に対応する領域に当該隣り合う２つの光源から入射する光を共に該偏向構造板３の法線方向の前面側方向ａに向けて出射させ得るように構成され、偏向構造板３における隣り合う２つの光源の間の領域に対応する領域に、当該隣り合う２つの光源以外の光源から放たれた光が、直接に入射するのを遮る遮蔽部材７が設けられていることを特徴とする。【選択図】図１
2009021114.tif 000002
【特許請求の範囲】
【請求項１】
３つ以上の光源が互いに間隔をあけて配置され、これら光源の前面側に該光源から放たれた光の向きを変える偏向構造板が配置されてなる面光源装置であって、
前記偏向構造板は、該偏向構造板における隣り合う２つの光源の間の領域に対応する領域に当該隣り合う２つの光源から入射する光を共に該偏向構造板の法線方向の前面側方向に向けて出射させ得るように構成され、
前記偏向構造板における隣り合う２つの光源の間の領域に対応する領域に、当該隣り合う２つの光源以外の光源から放たれた光が、直接に入射するのを遮る遮蔽部材が設けられていることを特徴とする面光源装置。
【請求項２】
前記遮蔽部材の表面の少なくとも一部は、拡散反射面に形成されている請求項１に記載の面光源装置。
【請求項３】
透過型画像表示部の背面側に請求項１または２に記載の面光源装置が配置されたことを特徴とする透過型画像表示装置。
【発明の詳細な説明】
【技術分野】
【０００１】
この発明は、光源の数が少なくても輝度ムラのない均一な光を高い輝度で出射できる面光源装置及び光源の数が少なくても均一で明るい画像を表示できる透過型画像表示装置に関する。
【背景技術】
【０００２】
透過型画像表示装置としては、例えば透過型液晶セル等を用いて構成された透過型画像表示部の背面側に、直下型の面光源装置がバックライトとして配置された構成のものが公知である。前記面光源装置としては、ランプボックス内に複数の光源が互いに間隔をあけて配置されると共にこれら光源の前面側に光拡散板が配置され、さらに該光拡散板の前面側にプリズム部材が配置された構成の面光源装置が知られている（特許文献１参照）。
【特許文献１】特開平７−１４１９０８号公報（段落００１２、図１）
【発明の開示】
【発明が解決しようとする課題】
【０００３】
ところで、面光源装置を構成する光源の数は、省電力化できる点で、できるだけ少なくするのが好ましいことは言うまでもないが、光源数を低減すると、輝度が低下することから、面光源装置としては光源の数が少なくても均一な光を高い輝度で出射できるものが求められている。
【０００４】
これに対し、上記特許文献１に記載された面光源装置では、プリズム部材からなる偏向構造部は、隣り合う２つの光源の間において、より近い一方の光源からの光を法線方向（垂直方向）の前面側に向けて出射させ得るように構成されているが、他方の光源からの光の出射方向については何ら考慮されていない構成であり、例えば光源の配置数が少ない設計になると十分に高い輝度を確保することはできなかった。
【０００５】
この発明は、かかる技術的背景に鑑みてなされたものであって、光源の配置数が少なくても輝度ムラのない均一な光を高い輝度で出射できる面光源装置、及び光源の配置数が少なくてもムラがなく均一で高輝度の画像を表示できる透過型画像表示装置を提供することを目的とする。
【課題を解決するための手段】
【０００６】
前記目的を達成するために、本発明は以下の手段を提供する。
【０００７】
［１］３つ以上の光源が互いに間隔をあけて配置され、これら光源の前面側に該光源から放たれた光の向きを変える偏向構造板が配置されてなる面光源装置であって、
前記偏向構造板は、該偏向構造板における隣り合う２つの光源の間の領域に対応する領域に当該隣り合う２つの光源から入射する光を共に該偏向構造板の法線方向の前面側方向に向けて出射させ得るように構成され、
前記偏向構造板における隣り合う２つの光源の間の領域に対応する領域に、当該隣り合う２つの光源以外の光源から放たれた光が、直接に入射するのを遮る遮蔽部材が設けられていることを特徴とする面光源装置。
【０００８】
［２］前記遮蔽部材の表面の少なくとも一部は、拡散反射面に形成されている前項１に記載の面光源装置。
【０００９】
［３］透過型画像表示部の背面側に前項１または２に記載の面光源装置が配置されたことを特徴とする透過型画像表示装置。
【発明の効果】
【００１０】
［１］の発明では、偏向構造板における隣り合う２つの光源の間の領域に対応する領域に当該隣り合う２つの光源から入射する光を共に該偏向構造板の法線方向の前面側方向に向けて出射できるので、光源の配置数が少なくても光を高い輝度で出射できる。即ち、正面方向に十分に明るく照明することができる。
【００１１】
更に、偏向構造板における隣り合う２つの光源の間の領域に対応する領域に、当該隣り合う２つの光源以外の光源から放たれた光が、直接に入射するのを遮る遮蔽部材が設けられているから、輝度の不均一性の原因となる光の偏向構造板への直接の入射を阻止し得て、輝度ムラのない均一な光を出射することができる。即ち、この発明の面光源装置によれば、光源の配置数が少なくても輝度ムラのない均一な光を高い輝度で出射できる。
【００１２】
一方、上記のような遮蔽部材が配置されていない構成では、偏向構造板における隣り合う２つの光源の間の領域に対応する領域に、当該隣り合う２つの光源以外の光源から放たれた光が、直接に入射することとなり、このような入射光は、偏向構造板の法線方向の前面側方向に向けて出射することはできず、このために法線方向からはずれた特定の角度領域（例えば偏向構造板の屈折率が１．５７である場合、法線方向となす角度が約１５度以上の角度領域）においては輝度の不均一性を生じる。
【００１３】
これに対し、本発明では、上記のような遮蔽部材が設けられていることで、特定の角度領域での輝度の不均一性発生を十分に抑止することができて、輝度ムラのない均一な高輝度光を出射することができるのである。
【００１４】
［２］の発明では、遮蔽部材の表面の少なくとも一部は、拡散反射面に形成されているから、遮蔽部材によって一旦遮られた光を有効利用して偏向構造板の法線方向の前面側方向に向けて出射することができるので、輝度をより向上させることができる。
【００１５】
［３］の発明では、光源の配置数が少なくてもムラがなく均一で明るい画像を表示できる透過型画像表示装置が提供される。
【発明を実施するための最良の形態】
【００１６】
この発明の透過型画像表示装置（１０）の一実施形態（第１実施形態）に係る液晶表示装置を図１〜３に示す。図１において、（１０）は液晶表示装置、（１１）は液晶セル、（１２）（１３）は偏光板、（１）は面光源装置である。前記液晶セル（１１）の上下両側にそれぞれ偏光板（１２）（１３）が配置され、これら構成部材（１１）（１２）（１３）によって透過型画像表示部（１４）が構成されている。
【００１７】
前記面光源装置（１）は、前記下側の偏光板（１３）の下面側（背面側）に配置されている。この面光源装置（１）は、平面視矩形状で上面側（前面側）が開放された薄箱型形状のランプボックス（５）と、該ランプボックス（５）内に相互に離間して配置された３つ以上の複数の光源（２）と、これら複数の光源（２）の上方側（前面側）に配置された偏向構造板（３）とを備えている。前記偏向構造板（３）は、前記ランプボックス（５）に対してその開放面を塞ぐように載置されて固定されている。また、前記ランプボックス（５）の底壁及び側壁の内面には光反射層が設けられている。
【００１８】
本実施形態では、前記光源（２）として蛍光管が用いられているが、特にこれに限定されるものではない。また、本実施形態では、説明の便宜上、前記光源（２）として、第１光源（２１）、第２光源（２２）、第３光源（２３）、第４光源（２４）及び第５光源（２５）が用いられた構成を示しているが、即ち５つの光源が用いられた例を示しているが、特にこのような光源数に限定されるものではなく、３つ以上の複数であれば良い。
【００１９】
前記偏向構造板（３）は、前記光源（２）から放たれて該偏向構造板（３）に入射した光の向きを変える機能を有する板である。本発明では、前記偏向構造板（３）は、該偏向構造板（３）における隣り合う２つの光源（２）（２）の間の領域に対応する領域に当該隣り合う２つの光源（２）（２）から入射する光（例えば図２で実線で示す光路を通る光）を共に該偏向構造板（３）の法線方向の前面側方向（ａ）に向けて出射させ得るように構成されている。
【００２０】
図２を参照しつつ個別に説明すると、前記偏向構造板（３）における隣り合う第１光源（２１）と第２光源（２２）の間の領域に対応する領域（９１）に当該隣り合う２つの光源（２１）（２２）から入射する光（Ｆ１）（Ｆ２）を共に該偏向構造板（３）の法線方向の前面側方向（ａ）に向けて出射させ得るように構成されている。また、同様に、前記偏向構造板（３）における隣り合う第２光源（２２）と第３光源（２３）の間の領域に対応する領域（９２）に当該隣り合う２つの光源（２２）（２３）から入射する光（Ｆ２）（Ｆ３）を共に該偏向構造板（３）の法線方向の前面側方向（ａ）に向けて出射させ得るように構成されている。更に、前記偏向構造板（３）における他の領域（９３）（９４）についても同様の構成が採用されている。
【００２１】
前記偏向構造板（３）の背面（光源側の面）（光入射面）（３ｂ）は、図３に示すように、その全面にわたって平滑面に形成されている。
【００２２】
前記偏向構造板（３）の前面（画像表示部側の面）（光出射面）（３ａ）は、図１、２に示すように、隣り合う第１光源（２１）と第２光源（２２）の間の領域に対応する領域（９１）、隣り合う第２光源（２２）と第３光源（２３）の間の領域に対応する領域（９２）、隣り合う第３光源（２３）と第４光源（２４）の間の領域に対応する領域（９３）及び隣り合う第４光源（２４）と第５光源（２５）の間の領域に対応する領域（９４）の４つの領域からなるが、これら４つの領域（９１）（９２）（９３）（９４）は、いずれも、それぞれ３０の小領域（Ａｍ；ｍ＝０、１、２、３、４、５、…、２７、２８、２９）に区切られている（図２参照）。各小領域（Ａｍ；ｍ＝０〜２９）の幅はいずれも１０００μｍ（１ｍｍ）である。
【００２３】
前記各小領域のうち前記光源（２）の直上位置にある小領域（Ａ０）の光出射面（３ａ）は、図３に示すように、平滑面に形成されている。従って、この小領域（Ａ０）に、真下の光源（２）から入射した光は、光入射面（３ｂ）及び光出射面（３ａ）のいずれもが平滑面であるから、そのまま偏向構造板（３）の法線方向の前面側方向（ａ）に向けて出射する。
【００２４】
また、前記偏向構造板（３）における前記小領域（Ａ０）を除く残りの２９個の小領域（Ａｍ；ｍ＝１〜２９）では、光出射面（３ａ）は、図３に示すように、断面形状が三角形のプリズムで構成されている。各小領域（Ａｍ；ｍ＝１〜２９）におけるプリズム（三角形）の数はそれぞれ２０個である。また、プリズム（三角形）の間隔（ｔ1、ｔ2、…、ｔ28、ｔ29）は、いずれも５０μｍである。また、各小領域（Ａｍ；ｍ＝１〜２９）におけるプリズムを構成する三角形の２つの斜辺が法線（ａ）となす角度（αｍ、βｍ）は、表１に示す値に設定されている。なお、同じ小領域内の三角形は、角度αｍ、角度βｍは、同一である。即ち、同じ小領域内の三角形は、その断面形状は全て同一である。例えば、小領域Ａ１の三角形（プリズム）は、全て、α＝８５．１度、β＝２４．２度、ｔ＝５０μｍに設定されている。
【００２５】
【表１】
2009021114.tif 000003
【００２６】
このように、偏向構造板（３）の光入射面（３ｂ）がその全面にわたって平滑面に形成されると共に、表１も含めて上記のような特定構成のプリズムが、偏向構造板（３）の光出射面（３ａ）に形成されているから、偏向構造板（３）における隣り合う２つの光源の間の領域に対応する領域に当該隣り合う２つの光源から入射する光を共に該偏向構造板（３）の法線方向の前面側方向（ａ）に向けて出射することができる。従って、たとえ光源（２）の配置数が少なくても光を高い輝度で出射でき、これにより透過型画像表示部（１４）を介して高輝度の画像を表示することができる。
【００２７】
本発明の透過型画像表示装置（１０）は、更に次のような構成も具備している。即ち、前記偏向構造板（３）における隣り合う２つの光源（２）（２）の間の領域に対応する領域に、当該隣り合う２つの光源以外の光源から放たれた光が、直接に入射するのを遮る光学的遮蔽部材（７）が、光源（２）（２）の間に配置されている。
【００２８】
図２を参照しつつ個別に説明すると、前記偏向構造板（３）における隣り合う第２光源（２２）と第３光源（２３）の間の領域に対応する領域（９２）に、当該隣り合う２つの光源（２２）（２３）以外の光源である第１光源（２１）から放たれた光が、直接に入射するのを遮る遮蔽部材（７Ａ）が、第１光源（２１）と第２光源（２２）の間に配置されている。また、前記偏向構造板（３）における隣り合う第２光源（２２）と第３光源（２３）の間の領域に対応する領域（９２）に、当該隣り合う２つの光源（２２）（２３）以外の光源である第４光源（２４）から放たれた光が、直接に入射するのを遮る遮蔽部材（７Ｃ）が、第３光源（２３）と第４光源（２４）の間に配置されている。
【００２９】
また、前記偏向構造板（３）における隣り合う第３光源（２３）と第４光源（２４）の間の領域に対応する領域（９３）に、当該隣り合う２つの光源（２３）（２４）以外の光源である第２光源（２２）から放たれた光が、直接に入射するのを遮る遮蔽部材（７Ｂ）が、第２光源（２２）と第３光源（２３）の間に配置されている。また、前記偏向構造板（３）における隣り合う第３光源（２３）と第４光源（２４）の間の領域に対応する領域（９３）に、当該隣り合う２つの光源（２３）（２４）以外の光源である第５光源（２５）から放たれた光が、直接に入射するのを遮る遮蔽部材（７Ｄ）が、第４光源（２４）と第５光源（２５）の間に配置されている。
【００３０】
本実施形態では、前記遮蔽部材（７Ａ）（７Ｂ）（７Ｃ）（７Ｄ）は、いずれも、前記ランプボックス（５）の底面から該底面に対して垂直上方向に向けて延ばされた遮蔽板からなる。この遮蔽板（７Ａ）（７Ｂ）（７Ｃ）（７Ｄ）は、前記光源（２）の長さ方向に沿って平行状に配置されている。
【００３１】
また、本実施形態では、前記遮蔽部材（７Ａ）（７Ｂ）（７Ｃ）（７Ｄ）の表面の全面が、白色拡散反射面である。
【００３２】
しかして、上記面光源装置（１）では、偏向構造板（３）における隣り合う２つの光源（２）（２）の間の領域に対応する領域に、当該隣り合う２つの光源以外の光源から放たれた光が、直接に入射するのを遮る遮蔽部材（７）が、光源（２）（２）の間に配置されているから、輝度の不均一性の原因となる光（例えば図２で点線で示す光路を通る光）の偏向構造板（３）への直接の入射を阻止することができて、これにより法線方向からはずれた特定の角度領域での輝度の不均一性発生を十分に抑制することができ、輝度ムラのない均一な光を出射することができる、即ち輝度ムラのない均一な光を高い輝度で出射できる。従って、上記液晶表示装置（１０）によれば、ムラがなく均一で高輝度の画像を表示することができる。
【００３３】
この発明において、隣り合う光源（２）（２）同士の間隔（Ｌ）は、省電力化の観点から、１５〜１５０ｍｍに設定されるのが好ましい。また、前記偏向構造板（３）と前記光源（２）との距離（Ｈ１）は、薄型化の観点から、５〜５０ｍｍに設定されるのが好ましい。
【００３４】
前記遮蔽部材（７）としては、上述した遮蔽機能を果たすものであれば、その形状や構造等は特に限定されない。
【００３５】
また、上記実施形態では、遮蔽部材（７）の表面の全面が拡散反射面に形成されていたが、特にこのような構成に限定されるものではなく、例えば拡散透過面、吸収面に形成されていても良い。
【００３６】
前記遮蔽部材（７）として遮蔽板を採用する場合において、遮蔽板（７）の厚さ（Ｌ２）は０．１〜４ｍｍの範囲に設定されるのが好ましい。また、遮蔽板（７）は、隣り合う光源（２）（２）間の略２等分位置に配置されるのが好ましい。このような位置に配置した場合には、隣り合う光源（２）（２）間毎に１枚の遮蔽板（７）を配置するだけで（図２参照）、輝度の不均一性の原因となる光を遮蔽することができる。
【００３７】
勿論、前記第１実施形態と同様に輝度の不均一性の原因となる光を遮蔽できるように、例えば図１２に示すように、隣り合う光源（２）（２）間に２枚の遮蔽板（７）を配置した構成を採用しても良い。即ち、この図１２では、隣り合う第１光源（２１）と第２光源（２２）の間に２枚の遮蔽板（７Ｇ）（７Ｈ）が離間して配置され、隣り合う第２光源（２２）と第３光源（２３）の間に２枚の遮蔽板（７Ｉ）（７Ｊ）が離間して配置され、さらに他の隣り合う光源間においても同様に２枚の遮蔽板が離間して配置されている。なお、この図１２において、前記第１実施形態と同様の構成部については同一の符号を付してその説明は省略する。
【００３８】
前記偏向構造板（３）の厚さ（Ｓ）は、特に限定されるものではないが、通常０．１〜１５ｍｍであり、好ましくは０．５〜１０ｍｍであり、より好ましくは１〜５ｍｍである。
【００３９】
前記偏向構造板（３）としては、通常、透明樹脂、透明ガラス等の透明材料からなる透明板が用いられる。前記透明樹脂としては、特に限定されるものではないが、例えばポリカーボネート樹脂、ＡＢＳ樹脂（アクリロニトリル−ブタジエン−スチレン共重合体樹脂）、メタクリル樹脂、ＭＳ樹脂（メタクリル酸メチル−スチレン共重合体樹脂）、ポリスチレン樹脂、ＡＳ樹脂（アクリロニトリル−スチレン共重合体樹脂）、ポリオレフィン樹脂（例えばポリエチレン、ポリプロピレン等）などが挙げられる。前記偏向構造板（３）に光拡散剤（光拡散粒子）を分散含有せしめても良い。
【００４０】
前記プリズム（三角形）の形成手法としては、特に限定されるものではないが、例えば押出法、プレス法、切削法、射出成形法等が挙げられる。中でも、生産効率の観点から、押出法で製造されるのが好ましい。
【００４１】
前記光源（２）としては、特に限定されないが、例えば蛍光管（冷陰極線管）、ハロゲンランプ、タングステンランプ等の直管状ランプ、発光ダイオード（ＬＥＤ）等の点光源などが挙げられる。
【００４２】
この発明に係る面光源装置（１）、透過型画像表示装置（１０）は、上記実施形態のものに特に限定されるものではなく、請求の範囲内であれば、その精神を逸脱するものでない限りいかなる設計的変更をも許容するものである。
【実施例】
【００４３】
次に、この発明の具体的実施例について説明するが、本発明はこれら実施例のものに特に限定されるものではない。
【００４４】
＜実施例１＞
前記第１実施形態の構成（図１〜３参照）を備えた液晶表示装置（１０）を構成した場合における偏向構造板（３）の各小領域から観測者に向けて出射される光の輝度の角度分布を光線追跡法によるシミュレーションによって算出した。各種設計条件は、前述したのと同一とした（表１等参照）。なお、隣り合う光源（２）（２）同士の間隔（Ｌ）は３０ｍｍ、光源（２）と遮蔽部材（７）の間隔（Ｌ１）は１３．５ｍｍ、光源（２）からランプボックス（５）の底面までの距離（Ｈ２）は３ｍｍ、光源（２）から偏向構造板（３）までの距離（Ｈ１）は１９ｍｍ、遮蔽部材（７）の厚さ（Ｌ２）は３ｍｍ、遮蔽部材（７）の高さ（Ｈ３）は１５ｍｍに設定した。また、偏向構造板（３）は、屈折率１．５７のＭＳ樹脂（透明樹脂）製の厚さ（Ｓ）２ｍｍの樹脂板からなる構成とした。また、光源（２）の直径（２ｒ）は２ｍｍに設定した。なお、前記光線追跡法シミュレーションとは、幾何光学に基づくモンテカルロ的確率シミュレーションであり、シミュレーション対象となるモデルの各構成部材の形状、屈折率、界面の反射特性を設定し、確率的に十分多数発生される光線について各々の透過及び反射を追跡し、結果が十分に収束するまでこれを繰り返すものである。
【００４５】
＜比較例１＞
実施例１の液晶表示装置（１０）において遮蔽部材（７）を設けない構成とした（その他の構成・設定条件は実施例１と同一とした）場合における偏向構造板（３）の各小領域から観測者に向けて出射される光の輝度の角度分布を光線追跡法によるシミュレーションによって算出した。
【００４６】
実施例１におけるシミュレーション結果を図４〜７に示す。また、比較例１におけるシミュレーション結果を図８〜１１に示す。なお、このシミュレーションにおいては、３本以上の複数の光源を備えた現実的な面光源装置を想定したものであり、偏向構造板（３）の形状についての対称性に鑑みれば、該偏向構造板（３）の全面のうち小領域（Ａ０、Ａ１、Ａ２、Ａ３、Ａ４、…、Ａ１３、Ａ１４、Ａ１５）について考察すれば十分である。しかして、図４と図８の対比、図５と図９の対比、図６と図１０の対比、図７と図１１の対比から、比較例１の面光源装置では、法線方向となす角度が約２０〜６０度の角度領域において比較的大きな輝度ムラを生じているのに対し、実施例１の面光源装置では、遮蔽部材（７）が設けられていることによる効果で、法線方向となす角度が約２０〜６０度の角度領域において輝度ムラが十分に抑制されていることがわかる。即ち、この発明の実施例１の面光源装置では、法線方向は勿論のこと法線方向を中心とした幅広い角度範囲において輝度ムラの少ない均一な光を高輝度で出射できることがわかる。
【産業上の利用可能性】
【００４７】
この発明の面光源装置は、透過型画像表示装置用のバックライトとして好適に用いられるが、特にこのような用途に限定されるものではない。
【図面の簡単な説明】
【００４８】
【図１】この発明に係る透過型画像表示装置の一実施形態を示す模式的側面図である。
【図２】この発明に係る面光源装置の一実施形態を示す模式的側面図である。この図２では、偏向構造板から出射する光の光路を矢印付き実線で示す。また、輝度の不均一性の原因となる光の光路を矢印付き点線で示す。
【図３】図２の面光源装置の偏向構造板の一部を拡大して示す側面図である。
【図４】実施例１における偏向構造板の各小領域Ａ０〜Ａ３から観測者に向けて出射される光の輝度の角度分布を示すグラフである。
【図５】実施例１における偏向構造板の各小領域Ａ４〜Ａ７から観測者に向けて出射される光の輝度の角度分布を示すグラフである。
【図６】実施例１における偏向構造板の各小領域Ａ８〜Ａ１１から観測者に向けて出射される光の輝度の角度分布を示すグラフである。
【図７】実施例１における偏向構造板の各小領域Ａ１２〜Ａ１５から観測者に向けて出射される光の輝度の角度分布を示すグラフである。
【図８】比較例１における偏向構造板の各小領域Ａ０〜Ａ３から観測者に向けて出射される光の輝度の角度分布を示すグラフである。
【図９】比較例１における偏向構造板の各小領域Ａ４〜Ａ７から観測者に向けて出射される光の輝度の角度分布を示すグラフである。
【図１０】比較例１における偏向構造板の各小領域Ａ８〜Ａ１１から観測者に向けて出射される光の輝度の角度分布を示すグラフである。
【図１１】比較例１における偏向構造板の各小領域Ａ１２〜Ａ１５から観測者に向けて出射される光の輝度の角度分布を示すグラフである。
【図１２】この発明に係る面光源装置の他の実施形態を示す模式的側面図である。この図１２では、偏向構造板から出射する光の光路を矢印付き実線で示す。また、輝度の不均一性の原因となる光の光路を矢印付き点線で示す。
【符号の説明】
【００４９】
１…面光源装置
２…光源
３…偏向構造板
７…遮蔽部材
１０…液晶表示装置（透過型画像表示装置）
１４…透過型画像表示部
２１…第１光源
２２…第２光源
２３…第３光源
２４…第４光源
２５…第５光源
９１〜９４…対応領域
ａ…法線方向の前面方向
【図１】
2009021114.tif 000004
【図２】
2009021114.tif 000005
【図３】
2009021114.tif 000006
【図４】
2009021114.tif 000007
【図５】
2009021114.tif 000008
【図６】
2009021114.tif 000009
【図７】
2009021114.tif 000010
【図８】
2009021114.tif 000011
【図９】
2009021114.tif 000012
【図１０】
2009021114.tif 000013
【図１１】
2009021114.tif 000014
【図１２】
2009021114.tif 000015